(57)【特許請求の範囲】
【請求項１】
車体前部における左右側壁の間で車体の幅方向に延びるよう設けられるカウルルーバと、このカウルルーバの長手方向の各端部から延出し、その延出端部が上記側壁に形成された支持部の上面に載置されるブラケットと、縦向きの共通軸心上で上記ブラケットの延出端部および支持部にそれぞれ形成される貫通孔と、これら両貫通孔に挿通されて上記ブラケットの延出端部と支持部とを互いに連結する連結ピンとを備えた車両のカウルルーバ装置において、
上記ブラケットの延出方向の中途部を下方に向かって突出するよう屈曲させてＵ字形状の屈曲部を形成し、
上記屈曲部が上記支持部の下方域に向かって変位するとき、この変位する屈曲部を収容する空間を上記支持部の下方域に形成したことを特徴とする車両のカウルルーバ装置。
【発明の詳細な説明】
【技術分野】
【０００１】
本発明は、車体前部における左右側壁にカウルルーバの長手方向の各端部を連結ピンで連結させるようにした車両のカウルルーバ装置に関するものである。
【背景技術】
【０００２】
上記車両のカウルルーバ装置には、従来、下記特許文献１に示されるものがある。この公報のものによれば、車両のカウルルーバ装置は、車体前部における左右側壁の間で車体の幅方向に延びるよう設けられるカウルルーバと、このカウルルーバの長手方向の各端部から延出し、その延出端部が上記側壁に形成された支持部の上面に載置されるブラケットと、縦向きの共通軸心上で上記ブラケットの延出端部および支持部にそれぞれ形成される貫通孔と、これら両貫通孔に挿通されて上記ブラケットの延出端部と支持部とを互いに連結する連結ピンと、上記ブラケットの延出端部の外縁部から、この延出端部に形成された上記貫通孔の孔縁部に至るよう形成されるスリットとを備えている。
【０００３】
そして、車両が、走行中に前方の何らかの物体に衝突（前突）し、この前突で跳ね上げられた物体が上記カウルルーバにその上方から衝突して、このカウルルーバに衝撃力を与えたとする。
【０００４】
ここで、上記した従来の技術によれば、ブラケットの延出端部にスリットが形成されており、上記衝撃力により、上記スリットが開いて上記ブラケットの延出端部が容易に変形することとされている。そして、この変形により、上記車体の側壁の支持部から上記ブラケットが上記カウルルーバを伴い脱落して、上記衝撃力が緩和され、これにより、この衝撃力の反力に基づき上記物体に生じようとする傷害値が低減されるようになっている。
【先行技術文献】
【特許文献】
【０００５】
【特許文献１】特開２００７−３３１４５１号公報
【発明の概要】
【発明が解決しようとする課題】
【０００６】
ところで、上記従来の技術では、車体の側壁に対しカウルルーバを連結させるブラケットの延出端部にスリットが形成されたことから、このブラケットの延出端部の剛性は低下しがちとなる。
【０００７】
このため、車体の左右側壁に上記ブラケットによりカウルルーバを連結したとき、このカウルルーバの建付けが強度的に不安定になるおそれがある。この結果、車両の洗車時などに、上記カウルルーバに作業者が手を掛けて体重を負荷させた場合には、上記ブラケットが容易に変形し、これに連動して上記カウルルーバも容易に変形するおそれがある。また、車両の走行時には上記カウルルーバに無用な振動が生じるおそれもある。
【０００８】
そこで、上記ブラケットの延出端部に上記のようなスリットを形成することに代え、前記したカウルルーバへの物体の衝突による衝撃力で、上記連結ピンを確実に脱落させて車体の左右側壁からカウルルーバを確実に脱落させるようにすることが考えられる。
【０００９】
しかし、上記ブラケットの延出端部は前記したように側壁に形成された支持部の上面に載置されている。このため、上記物体のカウルルーバへの衝突による衝撃力は上記ブラケットの延出端部を介し上記支持部の上面で支持されることから、上記衝撃力により上記連結ピンを確実に破断させるようにすることは容易でない。
【課題を解決するための手段】
【００１０】
本発明は、上記のような事情に注目してなされたもので、本発明の目的は、車体前部における左右側壁にカウルルーバの長手方向の各端部を連結ピンで連結させるようにした車両のカウルルーバ装置において、前突時に跳ね上げられた物体が上記カウルルーバにその上方から衝突したとき、上記物体に生じようとする傷害値を、より確実に低減できるようにすると共に、車体に対する上記カウルルーバの建付けが強度的に安定した状態にできるようにし、しかも、これらが簡単な構成で達成できるようにすることである。
【００１１】
請求項１の発明は、車体２前部における左右側壁５，５の間で車体２の幅方向に延びるよう設けられるカウルルーバ１９と、このカウルルーバ１９の長手方向の各端部から延出し、その延出端部が上記側壁５に形成された支持部２２の上面に載置されるブラケット２０と、縦向きの共通軸心２４上で上記ブラケット２０の延出端部２０ａおよび支持部２２にそれぞれ形成される貫通孔２５，２６と、これら両貫通孔２５，２６に挿通されて上記ブラケット２０の延出端部２０ａと支持部２２とを互いに連結する連結ピン２７とを備えた車両のカウルルーバ装置において、
上記ブラケット２０の延出方向の中途部を下方に向かって突出するよう屈曲させてＵ字形状の屈曲部２０ｂを形成し、
上記屈曲部２０ｂが上記支持部２２の下方域に向かって変位するとき、この変位する屈曲部２０ｂを収容する空間３０を上記支持部２２の下方域に形成したことを特徴とする車両のカウルルーバ装置である。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、車体前部における左右側壁の間で車体の幅方向に延びるよう設けられるカウルルーバと、このカウルルーバの長手方向の各端部から延出し、その延出端部が上記側壁に形成された支持部の上面に載置されるブラケットと、縦向きの共通軸心上で上記ブラケットの延出端部および支持部にそれぞれ形成される貫通孔と、これら両貫通孔に挿通されて上記ブラケットの延出端部と支持部とを互いに連結する連結ピンとを備えた車両のカウルルーバ装置において、
上記ブラケットの延出方向の中途部を下方に向かって突出するよう屈曲させてＵ字形状の屈曲部を形成しており、次の効果が生じる。
【００１５】
即ち、上記した車両が、走行中に前方の歩行者等何らかの物体に衝突（前突）し、この前突で跳ね上げられた物体が上記カウルルーバにその上方から衝突して、このカウルルーバに衝撃力を与えたとする。
【００１６】
ここで、上記発明によれば、ブラケットの延出方向の中途部を下方に向かって突出するよう屈曲させてＵ字形状の屈曲部を形成しており、このような屈曲部は、ある程度大きい外力の負荷によって応力集中が生じ、屈曲しがちとなるものである。
【００１７】
このため、上記したようにカウルルーバに衝撃力が与えられた場合、その「初期の段階」において上記屈曲部は下方に伸展するよう直ちに変形する。よって、この屈曲部の変形に連動して上記衝撃力を与えられたカウルルーバの部分が直ちに下方移動し、上記衝撃力は上記「初期の段階」において逸早く効果的に緩和される。この結果、この衝撃力の反力に基づき上記物体に生じようとする傷害値は、より確実に低減される。
【００１８】
また、上記発明によれば、側壁に形成された支持部の上面に上記カウルルーバから延出したブラケットの延出端部が載置され、かつ、上記ブラケットの延出方向の中途部に形成された上記屈曲部が上記支持部の下方域に向かって変位するとき、この変位する屈曲部を収容する空間を上記支持部の下方域に形成している。
【００１９】
このため、上記したカウルルーバへの物体の衝突が進行し、上記「初期の段階」から「中・後期の段階」に達し、上記ブラケットの屈曲部が上記支持部の下方域の空間に入り込んだ場合には、これに連動して上記ブラケットの延出端部は上記支持部の上面のうちの上記カウルルーバがわの端縁部を中心として上方回動させられる。そして、このように上方回動させられる上記延出端部の回転モーメントにより前記両貫通孔のうち、少なくとも、上記支持部の貫通孔から前記連結ピンが容易に引き抜かれ脱落させられる。
【００２０】
よって、上記衝撃力を与えられたカウルルーバの部分は更に下方移動し、上記衝撃力は上記「中・後期の段階」においても効果的に緩和される。この結果、この衝撃力の反力に基づき上記物体に生じようとする傷害値は、更に確実に低減される。
【００２１】
そして、上記発明によれば、上記した傷害値の確実な低減という効果は、主に上記カウルルーバから延出するブラケットの中途部に屈曲部を形成したことにより達成されたのであり、このため、第１に、上記効果の達成のために、前記従来の技術で示したようなスリットは上記ブラケットには形成しないで足りることから、上記ブラケットの延出端部には所望の剛性を確保できる。よって、車体に対する上記カウルルーバの建付けを強度的に安定した状態にすることができる。また、第２に、上記効果の達成のために、上記連結ピンを引く抜くための別途の部材を設けることは不要であって、部品点数の増加が防止されることから、上記効果は簡単な構成で安価に達成できる。
【図面の簡単な説明】
【００２２】
【図１】（ａ）は、図４の部分拡大図で、物体の衝突の「初期の段階」の作用説明図である。（ｂ）は、図４の部分拡大図で、物体の衝突の「中・後期の段階」の作用説明図である。
【図２】車体前部の平面図である。
【図３】図２のIII−III線矢視断面図である。
【図４】図２のIV−IV線矢視断面図である。
【図５】図４で示したものの斜視図である。
【発明を実施するための形態】
【００２３】
本発明の車両のカウルルーバ装置に関し、車体前部における左右側壁にカウルルーバの長手方向の各端部を連結ピンで連結させるようにした車両のカウルルーバ装置において、前突時に跳ね上げられた物体が上記カウルルーバにその上方から衝突したとき、上記物体に生じようとする傷害値を、より確実に低減できるようにすると共に、車体に対する上記カウルルーバの建付けが強度的に安定した状態にできるようにし、しかも、これらが簡単な構成で達成できるようにする、という目的を実現するため、本発明を実施するための形態は、次の如くである。
【００２４】
即ち、車両のカウルルーバ装置は、車体前部における左右側壁の間で車体の幅方向に延びるよう設けられるカウルルーバと、このカウルルーバの長手方向の各端部から延出し、その延出端部が上記側壁に形成された支持部の上面に載置されるブラケットと、縦向きの共通軸心上で上記ブラケットの延出端部および支持部にそれぞれ形成される貫通孔と、これら両貫通孔に挿通されて上記ブラケットの延出端部と支持部とを互いに連結する連結ピンとを備える。
【００２５】
上記ブラケットの延出方向の中途部が下方に向かって突出するよう屈曲させられてＵ字形状の屈曲部が形成される。上記屈曲部が上記支持部の下方域に向かって変位するとき、この変位する屈曲部を収容する空間が上記支持部の下方域に形成される。
【実施例】
【００２６】
本発明をより詳細に説明するために、その実施例を添付の図に従って説明する。
【００２７】
図２〜５において、符号１は、自動車で例示される車両であり、矢印Ｆｒは、この車両１の進行方向の前方を示している。また、下記する左右とは、上記前方に向かっての車両１の車体２の幅方向をいうものとする。
【００２８】
車体２前部は、左右側壁５，５と、これら左右側壁５，５の左右各後端部間で車体２の幅方向に延びるよう設けられ、その長手方向の各部断面がＵ字形状をなして上記左右側壁５，５を互いに結合させる板金製フロントカウル６と、このフロントカウル６から下方に延出するダッシュパネル７と、前下端部が上記ダッシュパネル７の後端縁部に支持されて後上方に向かって延びるフロントウィンドガラス８とを備え、上記フロントカウル６、ダッシュパネル７、およびフロントウィンドガラス８の後方における車体２内部が車室１０とされ、上記左右側壁５，５の間の空間がエンジンルーム１１とされている。
【００２９】
上記エンジンルーム１１をその上方から開閉可能に閉じるフード１２と、このフード１２の前部側が上、下方回動するようこのフード１２の後端部を上記左右各側壁５，５に枢支する左右一対のフードヒンジ１３，１３とが設けられている。上記側壁５は、不図示のフロントピラーから前方に向かって突設されるエプロンメンバ１４を備え、このエプロンメンバ１４のエンジンルーム１１側の面にはサスペンションタワー１５が結合され、上記エプロンメンバ１４の上面に上記フードヒンジ１３の静止側部材が締結される。上記フロントピラー、側壁５のエプロンメンバ１４、およびフロントカウル６は車体２の骨格部材を構成して、十分の強度と剛性とを有している。
【００３０】
上記フロントカウル６をその上方から覆うカウルルーバ装置１８が設けられる。このカウルルーバ装置１８は、上記左右側壁５，５の左右各後端部間で車体２の幅方向に延びるよう設けられ、上記フロントカウル６をその上方から覆う樹脂製のカウルルーバ１９と、このカウルルーバ１９の長手方向の各端部からこれら各端部の外側方に向かって一体的に延出するブラケット２０とを備えている。
【００３１】
上記カウルルーバ１９の前端縁部は上記フロントカウル６の前端縁部に支持され、その上面には上記フード１２の後端部が当接している。一方、上記カウルルーバ１９の後端縁部は上記フロントウィンドガラス８の前端縁部を介して上記フロントカウル６の後部に支持されている。
【００３２】
上記側壁５のエンジンルーム１１側の面には板金製の支持部２２が突出するよう形成されている。上記ブラケット２０はフラットバー形状をなし、その幅方向が車体２の前後方向に合致している。このブラケット２０の延出端部２０ａは上記支持部２２の上面に載置され、縦向きの共通軸心２４上で上記ブラケット２０の延出端部２０ａおよび支持部２２にそれぞれ貫通孔２５，２６が形成される。これら貫通孔２５，２６に連結ピン２７が挿通されて上記ブラケット２０の延出端部２０ａと支持部２２とが互いに連結されている。上記連結ピン２７は、樹脂製クリップであって、上記貫通孔２５，２６に嵌入された軸体と、この軸体の上端部に形成された頭部と、上記軸体の下端部に形成された爪とを有した一般的なものである。
【００３３】
車体２の正面視（図４）で、上記ブラケット２０の長手方向の中途部が下方に向かって突出するよう屈曲させられて、Ｕ字形状の屈曲部２０ｂが形成されている。また、この屈曲部２０ｂが上記支持部２２の下方域に向かって変位するとき、この変位する屈曲部２０ｂを収容する空間３０が上記支持部２２の下方域に形成されている。これについては、図１（ｂ）を参照して後述する。
【００３４】
図１（ａ）（ｂ）と図３とにおいて、上記した車両１の走行中に、その前方の歩行者等何らかの物体に衝突（前突）し、この前突で跳ね上げられた物体が上記カウルルーバ１９にその上方から衝突して、このカウルルーバ１９に衝撃力Ｆを与えたとする。
【００３５】
ここで、前記構成によれば、ブラケット２０の延出方向の中途部を下方に向かって突出するよう屈曲させてＵ字形状の屈曲部２０ｂを形成しており、このような屈曲部２０ｂは、ある程度大きい外力の負荷によって応力集中が生じ、屈曲しがちとなるものである。
【００３６】
このため、上記したようにカウルルーバ１９に衝撃力Ｆが与えられた場合、その「初期の段階」において、図１（ａ）中二点鎖線にて示すように、上記屈曲部２０ｂは下方に伸展するよう直ちに変形する。よって、この屈曲部２０ｂの変形に連動して上記衝撃力Ｆを与えられたカウルルーバ１９の部分が直ちに下方移動し、上記衝撃力Ｆは上記「初期の段階」において逸早く効果的に緩和される。この結果、この衝撃力Ｆの反力に基づき上記物体に生じようとする傷害値は、より確実に低減される。
【００３７】
また、前記構成によれば、側壁５に形成された支持部２２の上面に上記カウルルーバ１９から延出したブラケット２０の延出端部２０ａが載置され、かつ、上記ブラケット２０の延出方向の中途部に形成された上記屈曲部２０ｂが上記支持部２２の下方域に向かって変位するとき、この変位する屈曲部２０ｂを収容する空間３０を上記支持部２２の下方域に形成している。
【００３８】
このため、上記したカウルルーバ１９への物体の衝突が進行し、上記「初期の段階」から「中・後期の段階」に達し、図１（ｂ）にて示すように、上記ブラケット２０の屈曲部２０ｂが上記支持部２２の下方域の空間３０に入り込んだ場合には、これに連動して上記ブラケット２０の延出端部２０ａは上記支持部２２の上面のうちの上記カウルルーバ１９がわの端縁部２２ａを中心として上方回動Ａさせられる。そして、このように上方回動Ａさせられる上記延出端部２０ａの回転モーメントにより前記両貫通孔２５，２６のうち、少なくとも、上記支持部２２の貫通孔２６から前記連結ピン２７が容易に引き抜かれ脱落させられる。
【００３９】
よって、上記衝撃力Ｆを与えられたカウルルーバ１９の部分は更に下方移動し、上記衝撃力Ｆは上記「中・後期の段階」においても効果的に緩和される。この結果、この衝撃力Ｆの反力に基づき上記物体に生じようとする傷害値は、更に確実に低減される。
【００４０】
そして、上記構成によれば、上記した傷害値の確実な低減という効果は、主に上記カウルルーバ１９から延出するブラケット２０の中途部に屈曲部２０ｂを形成したことにより達成されたのであり、このため、第１に、上記効果の達成のために、前記従来の技術で示したようなスリットは上記ブラケット２０には形成しないで足りることから、上記ブラケット２０の延出端部２０ａには所望の剛性を確保できる。よって、車体２に対する上記カウルルーバ１９の建付けを強度的に安定した状態にすることができる。また、第２に、上記効果の達成のために、上記連結ピン２７を引く抜くための別途の部材を設けることは不要であって、部品点数の増加が防止されることから、上記効果は簡単な構成で安価に達成できる。
【００４１】
また、上記構成によれば、車体２の左右側壁５，５に上記カウルルーバ１９を取り付けた状態では、上記左右側壁５，５の各支持部２２，２２の間にその上方から上記カウルルーバ１９の左右ブラケット２０，２０の各屈曲部２０ｂ，２０ｂが嵌入された構造となる。
【００４２】
このため、車体２の左右側壁５，５への上記カウルルーバ１９の組み付け作業時には、まず、上記左右側壁５，５の間の上方から、上記カウルルーバ１９を下方移動させる。そして、上記左右支持部２２，２２の間に上記カウルルーバ１９の左右ブラケット２０，２０の各屈曲部２０ｂ，２０ｂを嵌入させれば、車体２の幅方向における上記左右側壁５，５の間の所定位置に、上記カウルルーバ１９が位置決めされる。よって、その分、上記カウルルーバ１９の組み付け作業が容易にできる。
【００４３】
なお、以上は図示の例によるが、上記カウルルーバ１９の端部からの上記ブラケット２０の延出方向は車体２の前、後方のいずれかであってもよい。また、上記支持部２２は上記側壁５をプレス加工することにより、この側壁５に一体的に形成してもよい。また、上記連結ピン２７は鉄製などの金属製であってもよい。
【符号の説明】
【００４４】
１    車両
２    車体
５    側壁
６    フロントカウル
１８  カウルルーバ装置
１９  カウルルーバ
２０  ブラケット
２０ａ  延出端部
２０ｂ  屈曲部
２２  支持部
２２ａ  端縁部
２４  軸心
２５  貫通孔
２６  貫通孔
２７  連結ピン
３０  空間
Ａ    上方回動
Ｆ    衝撃力
【図１】
0005840059.tif 000002
【図２】
0005840059.tif 000003
【図３】
0005840059.tif 000004
【図４】
0005840059.tif 000005
【図５】
0005840059.tif 000006